(57)【要約】【課題】トレッド部の耐久性を確保しながら耐偏摩耗性、及び溝底における耐クラック性を向上する。【解決手段】ベルトコードを１０〜４５°の角度で配列した第２、３のベルトプライ７Ｂ、７Ｃの外側に、ベルトコードをタイヤ周方向に螺旋状に巻回した第４のベルトプライ７Ｄを具える。各ベルトプライ７Ｂ〜７Ｄのプライ巾をＷ２〜Ｗ４、トレッド接地巾をＴｗとしたとき、０．８５Ｔｗ≦Ｗ２, Ｗ３、（Ｗ２−Ｗ３）≧１４ｍｍ、Ｗ４≧４０mmである。又第４のベルトプライ７Ｄの外端のタイヤ赤道からの距離Ｋを、トレッド接地巾Ｔｗの３５％〜４０％とした。前記第２、３のベルトプライ７Ｂ、７Ｃ間かつ外端部に最大厚さＴ１が３．０ｍｍ以上かつ複素弾性率Ｅ＊が６．０〜１２．０ＭＰａの補強ゴム層１０を配した。【選択図】図２
2007196866.tif 000002
【特許請求の範囲】
【請求項１】
トレッド部からサイドウォール部をへてビード部のビードコアに至るカーカスと、該カーカスの半径方向外側かつトレッド部内に配されるベルト層とを具えた重荷重用ラジアルタイヤであって、
前記ベルト層は、ベルトコードをタイヤ周方向に対して１０〜４５°の角度θ２で配列した第２のベルトプライと、該第２のベルトプライの半径方向外側に配されるとともにベルトコードをタイヤ周方向に対して１０〜４５°の角度θ３でかつ該第２のベルトプライのベルトコードとは傾斜方向を逆向きで配列した第３のベルトプライと、前記第３のベルトプライの半径方向外側配されるとともにベルトコードをタイヤ周方向に対して５°以下の角度θ４で螺旋状に巻回した第４のベルトプライとを含み、
前記第２、３のベルトプライは、そのタイヤ軸方向のプライ巾Ｗ２、Ｗ３をそれぞれトレッド接地巾Ｔｗの８５％以上、
前記第４のベルトプライは、そのタイヤ軸方向のプライ巾Ｗ４を４０ｍｍ以上、しかも第４のベルトプライのタイヤ軸方向外端のタイヤ赤道からの距離Ｋを、前記トレッド接地巾Ｔｗの３５％〜４０％とするとともに、
前記第２、３のベルトプライのタイヤ軸方向のプライ巾Ｗ２、Ｗ３の差Ｗ２−Ｗ３を１４ｍｍ以上とし、  かつ前記第２、第３のベルトプライの間かつタイヤ軸方向外端部に補強ゴム層を配し、しかも該補強ゴム層の最大厚さＴ１を３．０ｍｍ以上かつ複素弾性率Ｅ＊を６．０〜１２．０ＭＰａの範囲としたことを特徴とする重荷重用ラジアルタイヤ。
【請求項２】
前記第４のベルトプライは、タイヤ赤道の両側に間隔を隔てて配されることを特徴とする請求項１記載の重荷重用ラジアルタイヤ。
【請求項３】
前記ベルト層は、前記第２のベルトプライとカーカスとの間に、半径方向最内側の第１のベルトプライを具えるとともに、該第１のベルトプライは、ベルトコードをタイヤ周方向に対して前記角度θ２より大かつ４５〜７５°の範囲の角度θ１で配列したことを特徴とする請求項１又は２記載の重荷重用ラジアルタイヤ。
【請求項４】
前記補強ゴム層は、前記第３のベルトプライの外端において、前記最大厚さＴ１を有することを特徴とする請求項１〜３の何れかに記載の重荷重用ラジアルタイヤ。
【発明の詳細な説明】
【技術分野】
【０００１】
本発明は、偏平率が５０％以下のタイヤに好適であり、ベルト層を改善することにより偏摩耗、及び溝底での割れの発生等を抑制した重荷重用ラジアルタイヤに関する。
【背景技術】
【０００２】
トラック・バス用等の重荷重用ラジアルタイヤでは、一般に、図５に示すように、カーカスの半径方向外側に配されるベルト層ａを、スチールのベルトコードを用いた３〜４枚のベルトプライｂにより形成している。そして、従来においては、半径方向最内側に配される第１のベルトプライｂ１では、タイヤ周方向に対するコード角度を６０±１５°とし、かつその外側の第２〜第３、或いは第２〜第４のベルトプライのタイヤ周方向に対するコード角度を１０〜３５°、しかも第２、第３のベルトプライｂ２、ｂ３のコードの傾斜方向を互いに逆向きとしている。これにより第１、第２のベルトプライｂ１、ｂ２間、及び第２、第３のベルトプライｂ２、ｂ３間でベルトコードが互いに交差するトライアングル構造を形成し、ベルト剛性を高め、トレッド部をタガ効果を有して補強している。
【０００３】
他方、高速道路の整備化、車両の高性能化に伴い、重荷重用ラジアルタイヤにおいても、タイヤ断面巾に対するタイヤ断面高さの比（タイヤ断面高さ／タイヤ断面巾）である偏平率を減じ、操縦安定性を高めた偏平タイヤが使用されつつある。
【発明の開示】
【発明が解決しようとする課題】
【０００４】
しかし、このような偏平タイヤ、特に偏平率が５０％以下の偏平タイヤにおいては、トレッド部が幅広かつトレッド輪郭形状がフラット化するため、従来のベルト層では拘束力が不充分となり、走行におけるトレッド部の外径成長、とりわけトレッドショルダー域での外径成長が大となる。その結果、前記トレッドショルダー域での接地圧が増し、偏摩耗を誘発するとともに、温度上昇によりベルト端での剥離損傷が発生し易い。又トレッドショルダー域に配されるトレッド溝の溝底に作用する応力が高まり、該溝底でのクラック等の損傷を招く傾向となる。
【０００５】
そこで本発明は、ベルト層の拘束力を広範囲に亘ってバランス良く高めることができ、特に偏平率が５０％以下の偏平重荷重用ラジアルタイヤにおいて、トレッド部の外径成長、とりわけトレッドショルダー域での外径成長を抑制し、偏摩耗、ベルト端剥離、及びトレッド溝底におけるクラック等の発生を防止しうる重荷重用ラジアルタイヤを提供することを目的としている。
【０００６】
【特許文献１】特許第３３９８０６５号公報
【課題を解決するための手段】
【０００７】
前記目的を達成するために、本願請求項１の発明は、トレッド部からサイドウォール部をへてビード部のビードコアに至るカーカスと、該カーカスの半径方向外側かつトレッド部内に配されるベルト層とを具えた重荷重用ラジアルタイヤであって、
前記ベルト層は、ベルトコードをタイヤ周方向に対して１０〜４５°の角度θ２で配列した第２のベルトプライと、該第２のベルトプライの半径方向外側に配されるとともにベルトコードをタイヤ周方向に対して１０〜４５°の角度θ３でかつ該第２のベルトプライのベルトコードとは傾斜方向を逆向きで配列した第３のベルトプライと、前記第３のベルトプライの半径方向外側配されるとともにベルトコードをタイヤ周方向に対して５°以下の角度θ４で螺旋状に巻回した第４のベルトプライとを含み、
前記第２、３のベルトプライは、そのタイヤ軸方向のプライ巾Ｗ２、Ｗ３をそれぞれトレッド接地巾Ｔｗの８５％以上、
前記第４のベルトプライは、そのタイヤ軸方向のプライ巾Ｗ４を４０ｍｍ以上、しかも第４のベルトプライのタイヤ軸方向外端のタイヤ赤道からの距離Ｋを、前記トレッド接地巾Ｔｗの３５％〜４０％とするとともに、
前記第２、３のベルトプライのタイヤ軸方向のプライ巾Ｗ２、Ｗ３の差Ｗ２−Ｗ３を１４ｍｍ以上とし、  かつ前記第２、第３のベルトプライの間かつタイヤ軸方向外端部に補強ゴム層を配し、しかも該補強ゴム層の最大厚さＴ１を３．０ｍｍ以上かつ複素弾性率Ｅ＊を６．０〜１２．０ＭＰａの範囲としたことを特徴としている。
【０００８】
又請求項２の発明では、前記第４のベルトプライは、タイヤ赤道の両側に間隔を隔てて配されることを特徴としている。
又請求項３の発明では、前記ベルト層は、前記第２のベルトプライとカーカスとの間に、半径方向最内側の第１のベルトプライを具えるとともに、該第１のベルトプライは、ベルトコードをタイヤ周方向に対して前記角度θ２より大かつ４５〜７５°の範囲の角度θ１で配列したことを特徴としている。
又請求項４の発明では、前記補強ゴム層は、前記第３のベルトプライの外端において、前記最大厚さＴ１を有することを特徴としている。
【０００９】
なお前記トレッド接地巾とは、正規リムにリム組みしかつ正規内圧を充填した状態のタイヤに正規荷重を負荷した時に接地する接地面のタイヤ軸方向最大巾を意味する。又前記「正規リム」とは、タイヤが基づいている規格を含む規格体系において、当該規格がタイヤ毎に定めるリムであり、例えばＪＡＴＭＡであれば標準リム、ＴＲＡであれば "Design Rim" 、或いはＥＴＲＴＯであれば "Measuring Rim"を意味する。また前記「正規内圧」とは、前記規格がタイヤ毎に定めている空気圧であり、ＪＡＴＭＡであれば最高空気圧、ＴＲＡであれば表 "TIRE LOAD LIMITS AT VARIOUS COLD INFLATION PRESSURES" に記載の最大値、ＥＴＲＴＯであれば "INFLATION PRESSURE" を意味する。又前記「正規荷重」とは、前記規格がタイヤ毎に定めている荷重であり、ＪＡＴＭＡであれば最大負荷能力、ＴＲＡであれば表 "TIRE LOAD LIMITS AT VARIOUS COLD INFLATION PRESSURES" に記載の最大値、ＥＴＲＴＯであれば "LOAD CAPACITY"である。
【００１０】
又前記複素弾性率Ｅ＊は、粘弾性スペクトロメーターを用い、温度７０℃、周波数１０Ｈｚ、初期伸張歪１０％、動歪の振幅±２％の条件で測定した値である。
【発明の効果】
【００１１】
叙上の如く本発明は、コード角度を１０〜４５°としかつプライ間相互でベルトコードを交差させた第２、第３のベルトプライと、前記第３のベルトプライの半径方向外側に配されかつベルトコードをタイヤ周方向に螺旋状に巻回させた第４のベルトプライとを含んでベルト層を形成するとともに、各ベルトプライを所定巾に設定している。これにより、優れたタガ効果を広範囲に亘って発揮でき、トレッド部の外径成長を均一に抑制し、偏摩耗、ベルト端剥離、及びトレッド溝底でのクラック等の発生を防止しうる。
【００１２】
又第２、第３のベルトプライの間かつタイヤ軸方向外端部に、最大厚さＴ１が３．０ｍｍ以上かつ複素弾性率Ｅ＊が６．０〜１２．０ＭＰａの補強ゴム層を配している。これにより、第２、第３のベルトプライ外端におけるコード端ルースを抑制しうるとともに、ベルト層外端まで優れた剛性を確保でき、前述の耐偏摩耗、耐ベルト端剥離性、及び耐クラック性をさらに高めるとともに、操縦安定性の向上にも貢献しうる。
【発明を実施するための最良の形態】
【００１３】
以下、本発明の実施の一形態を、図示例とともに説明する。図１は本発明の重荷重用ラジアルタイヤの断面図、図２はそのトレッド部を拡大して示す断面図である。
図１に示すように、重荷重用ラジアルタイヤ１は、トレッド部２からサイドウォール部３をへてビード部４のビードコア５に至るカーカス６と、該カーカス６の半径方向外側かつトレッド部２の内部に配されるベルト層７とを少なくとも具える。本例では、タイヤ断面巾に対するタイヤ断面高さの比（タイヤ断面高さ／タイヤ断面巾）である偏平率を５０％以下に減じた偏平タイヤの場合を例示している。
【００１４】
前記カーカス６は、カーカスコードをタイヤ周方向に対して例えば７５〜９０度の角度で配列させた１枚以上、本例では１枚のカーカスプライ６Ａから形成される。このカーカスプライ６Ａは、前記ビードコア５、５間を跨るプライ本体部６ａの両端に、前記ビードコア５の周りでタイヤ軸方向内側から外側に折り返された折返し部６ｂを一連に具える。又前記プライ本体部６ａと折返し部６ｂとの間には、前記ビードコア５から半径方向外側にのびる断面三角形状のビード補強用のビードエーペックスゴム８を配している。なおカーカスコードとして、スチールコードが好適であるが、要求により芳香族ポリアミド、ナイロン、レーヨン、ポリエステルなどの有機繊維コードも採用しうる。
【００１５】
前記ビードエーペックスゴム８は、本例では、ゴム硬度が８０〜９５°の硬質のゴムからなる半径方向内側のエーペックス部８Ａと、ゴム硬度が４０〜６０°の軟質のゴムからなる半径方向外側のエーペックス部８Ｂとからなる２層構造をなし、かつその外端８ｅのビードベースラインＢＬからの高さＨ１を、タイヤ断面高さＨ０の３５〜５０％の範囲まで高めている。これにより、前記外端８ｅでの損傷を抑制しながら、タイヤのサイド剛性を高め操縦安定性を向上している。
【００１６】
次に前記ベルト層７は、半径方向内側から外側に順次重ね置きされるとともに、ベルトコードとしてスチールコードを用いた第１〜第４のベルトプライ７Ａ〜７Ｄを少なくとも含んで構成される。
【００１７】
このうち、図３に示すように、半径方向最内側に配される第１のベルトプライ７Ａは、ベルトコードをタイヤ周方向に対して４５〜７５°の角度θ１で傾斜配列している。又第２のベルトプライ７Ｂは、ベルトコードをタイヤ周方向に対して前記角度θ１より小かつ１０〜４５°の角度θ２で傾斜配列している。又第３のベルトプライ７Ｃは、ベルトコードをタイヤ周方向に対して１０〜４５°の角度θ３でかつ前記第２のベルトプライ７Ａのベルトコードとは傾斜方向を逆向きとして傾斜配列している。
【００１８】
又第４のベルトプライ７Ｄは、本例では、前記第３のベルトプライ７Ｃの半径方向外側かつタイヤ赤道Ｃ両側に間隔を有して中抜き状に配される。この第４のベルトプライ７Ｄは、ベルトコードをタイヤ周方向に対して５°以下の角度θ４で螺旋状に巻回した所謂エンドレスプライで形成している。
【００１９】
又本例では、タイヤ赤道Ｃ上かつ第４のベルトプライ７Ｄ、７Ｄ間に、第５のベルトプライ７Ｅを配した場合を例示している。この第５のベルトプライ７Ｅは、特に規制されないが、本例ではベルトコードをタイヤ周方向に対して１０〜４５°の角度θ５でかつ前記第３のベルトプライ７Ｃのベルトコードと傾斜方向を同向きとして傾斜配列している。
【００２０】
ここで前記第２、第３のベルトプライ７Ｂ、７Ｃのタイヤ軸方向のプライ巾Ｗ２、Ｗ３は、それぞれトレッド接地巾Ｔｗの８５％以上であって、本例では、プライ巾Ｗ２をプライ巾Ｗ３よりも大に設定している。このとき前記プライ巾Ｗ２、Ｗ３の差Ｗ２−Ｗ３は１４ｍｍ以上、即ち第２、第３のベルトプライ７Ｂ、７Ｃの外端が、タイヤ軸方向に少なくとも７ｍｍ以上の距離Ｌで互いに離間することが必要である。これにより、前記第２、第３のベルトプライ７Ｂ、７Ｃの外端に集中する応力を緩和しうる。なお前記プライ巾Ｗ２、Ｗ３の上限は、トレッド接地巾Ｔｗの１００％以下である。又前記第４のベルトプライ７Ｄは、そのタイヤ軸方向のプライ巾Ｗ４が４０ｍｍ以上であり、しかもそのタイヤ軸方向外端のタイヤ赤道Ｃからの距離Ｋを、前記トレッド接地巾Ｔｗの３５％〜４０％の範囲としている。
【００２１】
このように構成したベルト層７は、少なくとも第２〜第４のベルトプライ７Ｂ〜７Ｄの各ベルトコードが互いに交差し、強固なトライアングル構造を形成するため、必要なベルト剛性を確保することができる。しかも前記第４のベルトプライ７Ｄとして、ベルトコードを螺旋状に巻回したエンドレスプライを用いているため、不足傾向にあるトレッドショルダー域での拘束力を重点的に高めることができ、優れたタガ効果を広範囲に亘って発揮し、トレッド部の外径成長を均一に抑えるとともに、偏摩耗、ベルト端剥離、及びトレッド溝底におけるクラック等の発生を防止しうる。特に、本例では、第２のベルトプライ７Ｂとカーカスプライ６Ａとの間に、カーカスコード角度とベルトコード角度θ２との中間のベルトコード角度θ１で前記第１のベルトプライ７Ａを配しているため、ベルト剛性を高めつつ隣接するカーカスプライとベルトプライとの間のコード角度差を低減でき、プライ間剥離を抑制しうる。そのためには、本例の如く、前記第１のベルトプライ７Ａと第２のベルトプライ７Ｂとのベルトコードの傾斜方向を同向きとするのが好ましい。なお前記第１のベルトプライ７Ａのタイヤ軸方向のプライ巾Ｗ１は、ベルト剛性の観点からトレッド接地巾Ｔｗの８５％以上が好ましく、又プライ端剥離抑制の観点からプライ巾Ｗ２よりも１４ｍｍ以上巾狭であることが好ましい。即ち（Ｗ２−Ｗ１）≧１４が好ましい。
【００２２】
なお第２、第３のベルトプライ７Ｂ、７Ｃのプライ巾Ｗ２、Ｗ３がトレッド接地巾Ｔｗの８５％未満の場合、並びに第４のベルトプライ７Ｄのプライ巾Ｗ４が４０ｍｍ未満、かつそのタイヤ軸方向外端のタイヤ赤道Ｃからの距離Ｋがトレッド接地巾Ｔｗの３５％未満の場合には、トレッドショルダー域におけるタガ効果が不充分となり、偏摩耗やベルト端剥離の抑制効果、及びトレッド溝底でのクラック発生の抑制効果を充分達成することができなくなる。又第４のベルトプライ７Ｄにおける前記外端の距離Ｋがトレッド接地巾Ｔｗの４０％を越えると、この第４のベルトプライ７Ｄの外端部における張力の負担が高まりベルトコード破断等の発生傾向となる。
【００２３】
又エンドレスプライである前記第４のベルトプライ７Ｄを配した場合、この第４のベルトプライ７Ｄからタイヤ軸方向外側にはみ出す第２、第３のベルトプライ７Ｂ、７Ｃの外端部分でコード端ルース（ベルト端剥離）が発生しやすい傾向が生じる。
【００２４】
そこで本発明では、図２に示すように、第２、第３のベルトプライ７Ｂ、７Ｃ間かつタイヤ軸方向外端部に補強ゴム層１０を配している。この補強ゴム層１０は、複素弾性率Ｅ＊１が６．０〜１２．０ＭＰａの低弾性のゴムからなり、第２、第３のベルトプライ７Ｂ、７Ｃの外端に集中する剪断力を緩和し、この外端でのコード端ルース（ベルト端剥離）を抑制しうる。なお補強ゴム層１０は、その内端からタイヤ軸方向外側に向かってゴム厚さＴが順次増加し、本例の如く、Ｗ２＞Ｗ３の場合、前記第３のベルトプライ７Ｃの外端において最大厚さＴ１を有する。この最大厚さＴ１は、３．０ｍｍ以上であることが必要であり、これを下回ると剪断力の緩和効果が不足し、コード端ルースを抑制することが難しくなる。なお前記最大厚さＴ１が６．０ｍｍを越えると、この部分でトレッドゴムのゲージ厚さが極端に減少するため、偏摩耗に不利となる。又補強ゴム層１０の複素弾性率Ｅ＊１が１２．０ＭＰａを越えると、剪断力の緩和効果が不足し、コード端ルースを抑制することが難しくなり、逆にが６．０ＭＰａを下回ると、コード端の動きが大きくなり、コード端ルースが発生するという問題が生じる。なお同様の理由で、前記補強ゴム層１０は、そのゴム硬度が６５〜７５度の範囲であるのが好ましい。このゴム硬度は、ＪＩＳ−Ｋ６２５３に基づきデュロメータータイプＡにより測定したデュロメータＡ硬さである。
【００２５】
又前記第１のベルトプライ７Ａの外端部は、タイヤ軸方向外側に向かって前記カーカス６とは次第に離間する。そして、この離間部Ｊには、複素弾性率Ｅ＊２を２．０〜５．０Ｍｐａ、かつＥ＊２＜Ｅ＊１とした断面三角形状のクッションゴム１１を設け、ベルトプライ７Ａの外端での損傷を抑制している。なお本例では、前記第１のベルトプライ７Ａとカーカスプライ６Ａとの間のコード角度の差に起因する剪断力をより減じるため、前記クッションゴム１１に、第１のベルトプライ７Ａとカーカスプライ６Ａとの間を通ってタイヤ赤道までのびる厚さ０．５〜２．０ｍｍの薄い補助層部１１ａを付設している。
【００２６】
前記トレッド部２には、本例では、前記補助層部１１ａよりも薄い（例えば０．５mm以下）粘着ゴム層１２を介してトレッドゴム２Ｇが配される。この粘着ゴム層１２は、第４のベルトプライ７Ｄの外面、第３のベルトプライ７Ｃの外面、前記補強ゴム層１０の外端面、及びクッションゴム１１の外面に沿って延在する。そして前記補強ゴム層１０の外端面は、この粘着ゴム層１２を介して、トレッドゴム２Ｇのベースゴム部２Ｇｂと隣接する。このベースゴム部２Ｇｂは、従来と同様、そのゴム硬度が６４°程度、かつ複素弾性率が約５Ｍｐａ程度であり、前記補強ゴム層１０は、このベースゴム部２Ｇｂよりも硬質かつ高弾性に設定されている。
【００２７】
ここで本発明では、図４に略示するように、各前記第４のベルトプライ７Ｄのプライ巾Ｗ４を、前記距離Ｋと等しく設定することもできる。このときには、左右両側の第４のベルトプライ７Ｄ、７Ｄは、そのタイヤ軸方向内端がタイヤ赤道Ｃで互いに突き合わせて配されることなる。なお同様の実施形態として、第４のベルトプライ７Ｄのプライ巾Ｗ４を、前記距離Ｋの２倍（２×Ｋ）とした１枚の広幅のプライとし、これをタイヤ赤道Ｃ上に配することもできる。このように前記第４のベルトプライ７Ｃのプライ巾Ｗ４の上限は、前記距離Ｋの２倍（２×Ｋ）となる。
【００２８】
以上、本発明の特に好ましい実施形態について詳述したが、本発明は図示の実施形態に限定されることなく、種々の態様に変形して実施しうる。
【実施例】
【００２９】
図１の構造をなすタイヤサイズ４３５／４５Ｒ２２．５の偏平重荷重用ラジアルタイヤを、表１の仕様に基づき試作するとともに、各試供タイヤの耐偏摩耗性、溝底における耐クラック性、耐ベルト端剥離性、耐外径成長性、第４のベルトプライ端部におけるコード切れの有無についてテストし評価した。
【００３０】
なお従来例のタイヤでは、第１〜第３、第５のベルトプライにおいて、コード角度θ１（＋５０°）、コード角度θ２（＋１８°）、コード角度θ３（−１８°）、コード角度θ５（−１８°）としている。又実施例及び比較例のタイヤでは、第１〜第５のベルトプライにおいて、コード角度θ１（＋５０°）、コード角度θ２（＋１８°）、コード角度θ３（−１８°）、コード角度θ４（ほぼ０°；螺旋巻き）、コード角度θ５（−１８°）としている。なお実施例１、３〜６および比較例１〜６では、２枚の第４のベルトプライが左右両側に配置される。実施例２では幅広の１枚の第４のベルトプライがタイヤ赤道上に配されている。
【００３１】
（１）耐偏摩耗性：
試供タイヤを、リム（２２．５×１４．００）、内圧（９００ｋＰａ）の条件下で、２−Ｄ・４のテスト車両の全輪に装着し、高速道路、市街地及び山岳路を含んで合計１００００km走行した。そして走行後のショルダ溝の残溝深さを測定し、従来例を１００とした指数で比較した。数値が大なほど耐偏摩耗性に優れている。
【００３２】
（２）耐クラック性：
前記走行後に、ショルダ溝の溝底におけるクラックの発生の有無を目視により検査した。
【００３３】
（３）耐ベルト端剥離性、第４のベルトプライ端部におけるコード切れ：
前記走行後に、タイヤを解体し、ベルト端剥離の有無（有の場合は剥離の長さ）、第４のベルトプライ端部におけるコード切れの有無を検査した。
【００３４】
【表１】
2007196866.tif 000003
【００３５】
表の如く、実施例のタイヤは、トレッド部の耐久性を確保しながら偏摩耗、及びトレッド溝底におけるクラックの発生を抑制しうるのが確認できる。
【図面の簡単な説明】
【００３６】
【図１】本発明の重荷重用ラジアルタイヤの一実施例を示す断面図である。
【図２】そのトレッド部を拡大して示す断面図である。
【図３】各ベルトプライのコード配列を説明する図面である。
【図４】ベルト層の他の実施例におけるコード配列を説明する図面である。
【図５】従来タイヤのベルトプライのコード配列を説明する図面である。
【符号の説明】
【００３７】
２      トレッド部
３      サイドウォール部
４      ビード部
５      ビードコア
６      カーカス
７      ベルト層
７Ａ    第１のベルトプライ
７Ｂ    第２のベルトプライ
７Ｃ    第３のベルトプライ
７Ｄ    第４のベルトプライ
１０    補強ゴム層
【図１】
2007196866.tif 000004
【図２】
2007196866.tif 000005
【図３】
2007196866.tif 000006
【図４】
2007196866.tif 000007
【図５】
2007196866.tif 000008